(57)【要約】【課題】  硬貨処理装置への着脱を迅速に行うことができ、取り扱いが容易な硬貨収容カセット、並びに、これを備える硬貨処理装置および金銭処理装置を提供する。【解決手段】  硬貨処理装置２００では、硬貨収容カセット２２５の装着と同時に蓋体２４５がスライドして硬貨入口開口部を開放し、また、払出板２４６が払出機構部２０６に連結して動作制御可能となる。このため、硬貨収容カセット２２５のセッティングが極めて容易となる。また、硬貨収容カセット２２５を硬貨処理装置２００から取り外したときには、ストッパ部材２６１が自動的に払出板２４６の連結用孔の嵌合して硬貨払出開口部を閉じた状態に保持する。このため、硬貨収容カセット２２５の持ち運びの際に各釣銭チューブから硬貨が脱落するのを防止することができる。【選択図】  図１０
2006065621.tif 000002
【特許請求の範囲】
【請求項１】
硬貨投入口から投入された硬貨を搬送する入金硬貨搬送部と、搬送された硬貨を識別する硬貨識別部と、識別された硬貨を金種ごとに振り分ける硬貨振分部と、振り分けられた硬貨を金種ごとに収容する硬貨収容部と、前記硬貨収容部から硬貨を出金制御する払出機構部と、前記硬貨収容部から出金された硬貨を硬貨払出口に搬送する出金硬貨搬送部とを備えた硬貨処理装置に着脱可能に取り付けられ、前記硬貨収容部を構成する硬貨収容カセットにおいて、
前記硬貨振分部により振り分けられた硬貨を、金種ごとに又は金種混合で収容するチューブを内部に複数隣接して配置したカセット本体と、
前記カセット本体の硬貨入口開口部を封止可能な板状の本体を有し、前記カセット本体の前記硬貨入口開口部の幅方向両端側にそれぞれ設けられたガイドに沿ってスライド可能であり、前記硬貨入口開口部を全開させたときに前記カセット本体に係止される蓋体と、
前記カセット本体を前記硬貨処理装置に着脱させる着脱機構と、
前記カセット本体の硬貨払出開口部を封止可能な板状の本体を有し、前記カセット本体が前記硬貨処理装置に取り付けられると、前記払出機構部に連結して動作制御可能となり、前記硬貨払出開口部を開閉して前記カセット本体に収容された硬貨の払い出しを可能にする払出板と、
を備えたことを特徴とする硬貨収容カセット。
【請求項２】
前記ガイドは、前記カセット本体の内壁に設けられた溝部からなり、
前記蓋体は、その一端部に前記溝部に嵌合して摺動し、前記溝部の両端にて係止されるガイド軸を有すること、
を特徴とする請求項１記載の硬貨収容カセット。
【請求項３】
前記カセット本体の着脱方向手前側の壁面に、前記硬貨入口開口部を全開させた状態で、前記蓋体を前記カセット本体にほぼ平行に収容する蓋体収容部が設けられたことを特徴とする請求項２記載の硬貨収容カセット。
【請求項４】
前記蓋体収容部は、前記蓋体の厚みとほぼ同じ大きさの深さを有することを特徴とする請求項３記載の硬貨収容カセット。
【請求項５】
前記蓋体は、前記カセット本体の前記硬貨処理装置への装着時に、前記硬貨処理装置の取付面近傍に設けられた係合部に当接して、その装着方向とは逆方向に押されることにより、前記硬貨入口開口部の開放方向にスライドするように構成されたことを特徴とする請求項２記載の硬貨収容カセット。
【請求項６】
前記カセット本体に、前記硬貨入口開口部の外部に進退可能な固定片が設けられるとともに、前記蓋体に、前記固定片を挿通する挿通部が設けられ、
前記固定片は、前記硬貨入口開口部が閉じているときに、前記蓋体の挿通部に挿通されて前記蓋体を固定し、前記硬貨入口開口部が全開しているときに、外部へ突出して前記硬貨処理装置の取付面近傍に設けられた係止部に係止されて、前記カセット本体を前記硬貨処理装置に固定することを特徴とする請求項５記載の硬貨収容カセット。
【請求項７】
前記蓋体は、
前記カセット本体の特定のチューブと連通する取出孔と、
前記取出孔を封止可能な封止部材と、
前記封止部材を前記取出孔の開放位置と封止位置との間でスライド可能にガイドするガイド部と、
前記封止部材を前記取出孔の封止位置の方向へ付勢する付勢部材と、
を備えたことを特徴とする請求項１記載の硬貨収容カセット。
【請求項８】
前記封止部材は、板状のカバーからなり、
前記ガイド部は、前記蓋体の周縁近傍に沿って設けられ、前記カバーの端縁をガイドする溝部からなり、
前記付勢部材は、ねじりコイルばねからなること、
を特徴とする請求項７記載の硬貨収容カセット。
【請求項９】
前記払出板は、その厚み方向に貫通する連結用孔を備え、前記カセット本体が前記硬貨処理装置に取り付けられた際に、前記連結用孔が前記払出機構部の駆動ベースに設けられた連結用突起に嵌合することにより、前記払出機構部に連結されることを特徴とする請求項１記載の硬貨収容カセット。
【請求項１０】
さらに、前記カセット本体に前記連結用孔に対向して設けられたストッパ部材と、前記ストッパ部材を前記連結用孔側に付勢する付勢手段とを備え、
前記ストッパ部材は、前記カセット本体が前記硬貨処理装置から取り外されたときに、前記連結用突起に代わって前記連結用孔に嵌合し、前記払出板を前記硬貨払出開口部を閉じた状態に保持することを特徴とする請求項９記載の硬貨収容カセット。
【請求項１１】
前記ストッパ部材は、前記カセット本体が前記硬貨処理装置に取り付けられる状態で前記硬貨処理装置側に突出する解除用突起を有し、前記カセット本体が前記硬貨処理装置に取り付けられるときに、前記解除用突起が前記硬貨処理装置に設けられたフレームに当接して前記付勢手段の付勢力に抗して押圧されることにより、前記連結用孔から退避するように構成されたことを特徴とする請求項１０記載の硬貨収容カセット。
【請求項１２】
硬貨投入口から投入された硬貨を搬送する入金硬貨搬送部と、搬送された硬貨を識別する硬貨識別部と、識別された硬貨を金種ごとに振り分ける硬貨振分部と、振り分けられた硬貨を金種ごとに収容する硬貨収容カセットと、前記硬貨収容部から硬貨を出金制御する払出機構部と、前記硬貨収容部から出金された硬貨を硬貨払出口に搬送する出金硬貨搬送部とを備えた硬貨処理装置において、
当該硬貨処理装置における前記硬貨収容カセットの取付面近傍に係合部が設けられ、
前記硬貨収容カセットは、
前記硬貨振分部により振り分けられた硬貨を、金種ごとに又は金種混合で収容するチューブを内部に複数隣接して配置したカセット本体と、
前記カセット本体の硬貨入口開口部を封止可能な板状の本体を有し、前記カセット本体の前記硬貨入口開口部の幅方向両端側にそれぞれ設けられたガイドに沿ってスライド可能であり、前記硬貨入口開口部を全開させたときに前記カセット本体に係止される蓋体と、
前記カセット本体を当該硬貨処理装置に着脱させる着脱機構と、
前記カセット本体の硬貨払出開口部を封止可能な板状の本体を有し、前記カセット本体が当該硬貨処理装置に取り付けられると、前記払出機構部に連結して動作制御可能となり、前記硬貨払出開口部を開閉して前記カセット本体に収容された硬貨の払い出しを可能にする払出板と、
を備え、
前記蓋体は、前記カセット本体の装着時に前記係合部に当接し、その装着方向とは逆方向に押されることにより、前記硬貨入口開口部の開放方向にスライドするように構成されたことを特徴とする硬貨処理装置。
【請求項１３】
前記カセット本体を取り付ける取付面近傍に係止部が設けられ、
前記カセット本体に、前記硬貨入口開口部の外部に進退可能な固定片が設けられるとともに、前記蓋体に、前記固定片を挿通する挿通部が設けられ、
前記固定片は、前記硬貨入口開口部が閉じているときに、前記蓋体の挿通部に挿通されて前記蓋体を固定し、前記硬貨入口開口部が全開しているときに、外部へ突出して前記硬貨処理装置の取付面近傍に設けられた係止部に係止されて、前記カセット本体を前記硬貨処理装置に固定することを特徴とする請求項１２記載の硬貨処理装置。
【請求項１４】
前記払出板を連結するための連結用突起を有し、前記払出機構部により駆動される駆動ベースを備え、
前記払出板は、その厚み方向に貫通する連結用孔を備え、前記カセット本体が当該硬貨処理装置に取り付けられた際に、前記連結用孔が前記連結用突起に嵌合することにより、前記払出機構部に連結されることを特徴とする請求項１２記載の硬貨処理装置。
【請求項１５】
さらに、前記カセット本体に前記連結用孔に対向して設けられたストッパ部材と、前記ストッパ部材を前記連結用孔側に付勢する付勢手段とを備え、
前記ストッパ部材は、前記カセット本体が当該硬貨処理装置から取り外されたときに、前記連結用突起に代わって前記連結用孔に嵌合し、前記払出板を前記硬貨払出開口部を閉じた状態に保持することを特徴とする請求項１４記載の硬貨処理装置。
【請求項１６】
前記駆動ベースよりも上方に前記カセット本体側に露出するフレームを有し、
前記ストッパ部材は、前記カセット本体が当該硬貨処理装置に取り付けられる状態で当該硬貨処理装置側に突出する解除用突起を有し、前記カセット本体が当該硬貨処理装置に取り付けられるときに、前記フレームに当接して前記付勢手段の付勢力に抗して押圧されることにより、前記連結用孔から退避するように構成されたことを特徴とする請求項１５記載の硬貨処理装置。
【請求項１７】
紙幣処理装置と硬貨処理装置とを一体に備え、本体装置に接続されて所定の金銭処理を行う金銭処理装置において、
前記紙幣処理装置は、前面下部に設けられた紙幣投入口から入金された紙幣を鑑別する入金紙幣鑑別部と、上部に配置されて特定の１つの金種を除くすべての金種の前記紙幣を一括して混合収納する第１の金庫と、前記第１の金庫の下部に隣接して配置され、前記特定の１つの金種の前記紙幣を収納したり、収納されている前記紙幣を釣銭として繰り出すことができるリサイクル機能を持った第２の金庫と、前記第２の金庫の下部に配置されて前記第２の金庫から繰り出された前記紙幣を出金に必要な枚数に達するまで保留し、保留された前記紙幣を前面下部に設けられた紙幣出金口へ一括して出金する出金保留部とを備え、
前記硬貨処理装置は、上下に延びるように設けられ、奥行方向に複数並設されたチューブを内部に収容する硬貨収容カセットと、前記硬貨収容カセットの手前側に並ぶように上下に延設され、前面下部に設けられた硬貨投入口から投入された硬貨を上方に搬送するリフタ部と、前記リフタ部の搬送通路の中間に設けられ、搬送される硬貨を識別する硬貨識別部と、前記リフタ部の上端部近傍から前記硬貨収容カセットの上方を奥行方向に延び、前記リフタ部から前記硬貨を受け取って搬送し、対応するチューブに振り分ける硬貨振分部と、前記チューブから硬貨を出金制御する払出機構部と、前記硬貨収容カセットの下方に奥行方向に延び、いずれかのチューブから出金された硬貨を前面下部に設けられた硬貨払出口に搬送する出金硬貨搬送部とを備え、
前記硬貨処理装置における前記硬貨収容カセットの取付面近傍に係合部が設けられ、
前記硬貨収容カセットは、
前記硬貨振分部により振り分けられた硬貨を、金種ごとに又は金種混合で収容する前記チューブを内部に複数隣接して配置したカセット本体と、
前記カセット本体の硬貨入口開口部を封止可能な板状の本体を有し、前記カセット本体の前記硬貨入口開口部の幅方向両端側にそれぞれ設けられたガイドに沿ってスライド可能であり、前記硬貨入口開口部を全開させたときに前記カセット本体に係止される蓋体と、
前記カセット本体を当該硬貨処理装置に着脱させる着脱機構と、
前記カセット本体の硬貨払出開口部を封止可能な板状の本体を有し、前記カセット本体が当該硬貨処理装置に取り付けられると、前記払出機構部に連結して動作制御可能となり、前記硬貨払出開口部を開閉して前記カセット本体に収容された硬貨の払い出しを可能にする払出板と、
を備え、
前記蓋体は、前記カセット本体の装着時に前記係合部に当接し、その装着方向とは逆方向に押されることにより、前記硬貨入口開口部の開放方向にスライドするように構成されたことを特徴とする金銭処理装置。
【発明の詳細な説明】
【技術分野】
【０００１】
本発明は、金銭処理に際して硬貨を収容する硬貨収容カセット、並びに、これを備える硬貨処理装置および金銭処理装置に関する。
【背景技術】
【０００２】
例えばガソリンスタンドなどでは、給油した量に応じて現金の入出金処理を行うが、特にセルフサービス方式のガソリンスタンドにおいては、ガソリンの給油から清算までを利用者自身が行うことになっている。そのため、利用者は、その給油を行う場所において給油から清算までのすべての操作をできることが望ましい。しかし、現金の入出金処理を行う部分に関しては、給油ポンプの大きさがある程度決まっているため、その中に、紙幣および硬貨を取り扱う装置を組み込むスペースに制約がある。
【０００３】
そこで、従来の給油ポンプでは、紙幣の入出金処理を行う紙幣処理装置のみが搭載されており、小額の釣銭があるとき、又は硬貨による清算を行う場合には、別の場所に併設された清算機もしくは店内で釣銭の清算を行うようにしている。
【０００４】
その清算機などには、釣銭処理を行うことができる硬貨処理装置が設けられていて、入金された硬貨の金種を判別し、判別された金種に応じて収納するとともに、収納された硬貨の中から該当する金種および枚数分の硬貨が釣銭として払い出しできるようになっている。
【０００５】
このような硬貨処理装置においては、入金された硬貨を釣銭として再利用するために硬貨収納庫は金種別の硬貨チューブを有する硬貨収容カセットを備え、金種別に収納するようにしており、その金種別の収納に先立って入金された硬貨の振り分けを行う振分装置を搭載している。振分装置にて振り分けられた硬貨は、その下部に開口するように配置された硬貨チューブ内に落下して金種別に収納される。そして、釣銭が必要な場合は、収納庫の該当金種のチューブから硬貨が１枚ずつ必要枚数だけ払い出され、払い出された硬貨は硬貨出金搬送部にて硬貨取出口まで搬送され、釣銭として出金される。この硬貨収容カセットは、集金や不足硬貨の補充の際には取り外される。
【０００６】
このような硬貨処理装置は、流通している硬貨の全金種を取り扱うことができるもので、例えばスーパーマーケットなどで用いられているキャッシュドロアと連動して動作する釣銭機と同様な機器構成（例えば、特許文献１参照。）が採用されている。
【特許文献１】特開２００１−３５１１３６号公報（図３）
【発明の開示】
【発明が解決しようとする課題】
【０００７】
ところで、現金の入出金処理は、紙幣のみならず硬貨の釣銭の清算まで同じ給油ポンプの場所にて行うことが要望されているが、給油ポンプに搭載される従来の金銭処理装置は、スペースの関係で紙幣処理装置のみであって、硬貨処理装置を一緒に組み込むことができないため、清算をするのに場所を変えて行わなければならず、煩わしい。このため、好ましくは、硬貨処理も小型化してこの金銭処理装置に組み込めるようにするのがよい。
【０００８】
そして特に、このようなガソリンのセルフサービス等に用いられる金銭処理装置は、自動販売機や両替機等の金銭処理装置よりも扱う金額が大きく、その集金や不足硬貨の補充などの回数も多くなり、硬貨収容カセットの着脱頻度が多くなる。このため、硬貨収容カセットを硬貨処理装置から容易かつ迅速に着脱できることが要請される。なお、このような硬貨収容カセットの硬貨処理装置からの着脱の容易性は、自動販売機や両替機その他の金銭処理装置にも望まれることである。
【０００９】
本発明はこのような点に鑑みてなされたものであり、硬貨処理装置への着脱を迅速に行うことができ、取り扱いが容易な硬貨収容カセット、並びに、これを備える硬貨処理装置および金銭処理装置を提供することを目的とする。
【課題を解決するための手段】
【００１０】
本発明では上記問題を解決するために、硬貨投入口から投入された硬貨を搬送する入金硬貨搬送部と、搬送された硬貨を識別する硬貨識別部と、識別された硬貨を金種ごとに振り分ける硬貨振分部と、振り分けられた硬貨を金種ごとに収容する硬貨収容部と、前記硬貨収容部から硬貨を出金制御する払出機構部と、前記硬貨収容部から出金された硬貨を硬貨払出口に搬送する出金硬貨搬送部とを備えた硬貨処理装置に着脱可能に取り付けられ、前記硬貨収容部を構成する硬貨収容カセットにおいて、前記硬貨振分部により振り分けられた硬貨を、金種ごとに又は金種混合で収容するチューブを内部に複数隣接して配置したカセット本体と、前記カセット本体の硬貨入口開口部を封止可能な板状の本体を有し、前記カセット本体の前記硬貨入口開口部の幅方向両端側にそれぞれ設けられたガイドに沿ってスライド可能であり、前記硬貨入口開口部を全開させたときに前記カセット本体に係止される蓋体と、前記カセット本体を前記硬貨処理装置に着脱させる着脱機構と、前記カセット本体の硬貨払出開口部を封止可能な板状の本体を有し、前記カセット本体が前記硬貨処理装置に取り付けられると、前記払出機構部に連結して動作制御可能となり、前記硬貨払出開口部を開閉して前記カセット本体に収容された硬貨の払い出しを可能にする払出板と、を備えたことを特徴とする硬貨収容カセットが提供される。
【００１１】
このような硬貨収容カセットでは、蓋体が、カセット本体に設けられたガイドに沿ってスライドして硬貨入口開口部を開閉し、硬貨入口開口部を全開させたときにカセット本体に係止される。また、カセット本体を硬貨処理装置に取り付ける動作と同時に、硬貨入口開口部が開放されるとともに、払出板が払出機構部に連結して動作制御可能となる。
【００１２】
また、本発明では、硬貨投入口から投入された硬貨を搬送する入金硬貨搬送部と、搬送された硬貨を識別する硬貨識別部と、識別された硬貨を金種ごとに振り分ける硬貨振分部と、振り分けられた硬貨を金種ごとに収容する硬貨収容カセットと、前記硬貨収容部から硬貨を出金制御する払出機構部と、前記硬貨収容部から出金された硬貨を硬貨払出口に搬送する出金硬貨搬送部とを備えた硬貨処理装置において、当該硬貨処理装置における前記硬貨収容カセットの取付面近傍に係合部が設けられ、前記硬貨収容カセットは、前記硬貨振分部により振り分けられた硬貨を、金種ごとに又は金種混合で収容するチューブを内部に複数隣接して配置したカセット本体と、前記カセット本体の硬貨入口開口部を封止可能な板状の本体を有し、前記カセット本体の前記硬貨入口開口部の幅方向両端側にそれぞれ設けられたガイドに沿ってスライド可能であり、前記硬貨入口開口部を全開させたときに前記カセット本体に係止される蓋体と、前記カセット本体を当該硬貨処理装置に着脱させる着脱機構と、前記カセット本体の硬貨払出開口部を封止可能な板状の本体を有し、前記カセット本体が当該硬貨処理装置に取り付けられると、前記払出機構部に連結して動作制御可能となり、前記硬貨払出開口部を開閉して前記カセット本体に収容された硬貨の払い出しを可能にする払出板と、を備え、前記蓋体は、前記カセット本体の装着時に前記係合部に当接し、その装着方向とは逆方向に押されることにより、前記硬貨入口開口部の開放方向にスライドするように構成されたことを特徴とする硬貨処理装置が提供される。
【００１３】
このような硬貨処理装置では、硬貨収容カセットを装着する際に、その蓋体が係合部に当接してその装着方向とは逆方向に押されてスライドし、硬貨入口開口部を開放させる。このため、別途蓋体を開ける操作をすることなく、硬貨収容カセットを装着する操作をするだけで自動的に蓋体が開いて硬貨処理装置にセットされる。また、カセット本体を硬貨処理装置に取り付ける動作と同時に、払出板が払出機構部に連結して動作制御可能となる。
【００１４】
さらに、本発明では、紙幣処理装置と硬貨処理装置とを一体に備え、本体装置に接続されて所定の金銭処理を行う金銭処理装置において、前記紙幣処理装置は、前面下部に設けられた紙幣投入口から入金された紙幣を鑑別する入金紙幣鑑別部と、上部に配置されて特定の１つの金種を除くすべての金種の前記紙幣を一括して混合収納する第１の金庫と、前記第１の金庫の下部に隣接して配置され、前記特定の１つの金種の前記紙幣を収納したり、収納されている前記紙幣を釣銭として繰り出すことができるリサイクル機能を持った第２の金庫と、前記第２の金庫の下部に配置されて前記第２の金庫から繰り出された前記紙幣を出金に必要な枚数に達するまで保留し、保留された前記紙幣を前面下部に設けられた紙幣出金口へ一括して出金する出金保留部とを備え、前記硬貨処理装置は、上下に延びるように設けられ、奥行方向に複数並設されたチューブを内部に収容する硬貨収容カセットと、前記硬貨収容カセットの手前側に並ぶように上下に延設され、前面下部に設けられた硬貨投入口から投入された硬貨を上方に搬送するリフタ部と、前記リフタ部の搬送通路の中間に設けられ、搬送される硬貨を識別する硬貨識別部と、前記リフタ部の上端部近傍から前記硬貨収容カセットの上方を奥行方向に延び、前記リフタ部から前記硬貨を受け取って搬送し、対応するチューブに振り分ける硬貨振分部と、前記チューブから硬貨を出金制御する払出機構部と、前記硬貨収容カセットの下方に奥行方向に延び、いずれかのチューブから出金された硬貨を前面下部に設けられた硬貨払出口に搬送する出金硬貨搬送部とを備え、前記硬貨処理装置における前記硬貨収容カセットの取付面近傍に係合部が設けられ、前記硬貨収容カセットは、前記硬貨振分部により振り分けられた硬貨を、金種ごとに又は金種混合で収容する前記チューブを内部に複数隣接して配置したカセット本体と、前記カセット本体の硬貨入口開口部を封止可能な板状の本体を有し、前記カセット本体の前記硬貨入口開口部の幅方向両端側にそれぞれ設けられたガイドに沿ってスライド可能であり、前記硬貨入口開口部を全開させたときに前記カセット本体に係止される蓋体と、前記カセット本体を当該硬貨処理装置に着脱させる着脱機構と、前記カセット本体の硬貨払出開口部を封止可能な板状の本体を有し、前記カセット本体が当該硬貨処理装置に取り付けられると、前記払出機構部に連結して動作制御可能となり、前記硬貨払出開口部を開閉して前記カセット本体に収容された硬貨の払い出しを可能にする払出板と、を備え、前記蓋体は、前記カセット本体の装着時に前記係合部に当接し、その装着方向とは逆方向に押されることにより、前記硬貨入口開口部の開放方向にスライドするように構成されたことを特徴とする金銭処理装置が提供される。
【００１５】
このような金銭処理装置では、紙幣処理装置については、特定の１つの金種を除くすべての金種の紙幣を一括して混合収納する第１の金庫と、特定の１つの金種の紙幣を収納したり出金したりすることができるリサイクル機能を持った第２の金庫との２つの金庫だけで全金種の紙幣を取り扱うことができる。このため、金庫の部分の設置スペースを縮小することができる。また、硬貨処理装置については、奥行方向に複数並設された釣銭チューブを取り囲むように、硬貨を搬送するリフタ部、硬貨振分部および出金硬貨搬送部が配設され、釣銭チューブの手前側の硬貨投入口に近い位置にリフタ部を配置し、リフタ部の途中に硬貨識別部を配置している。これにより、硬貨処理装置の内部を循環する硬貨の動線が最短化される。その結果、紙幣処理装置および硬貨処理装置のそれぞれが小型化でき、設置スペースの狭い場所でも、紙幣処理装置および硬貨処理装置を一緒に組み込むことができる。
【００１６】
そして特に、硬貨処理装置においては、上記と同様に、硬貨収容カセットを装着する際に、その蓋体が係合部に当接してその装着方向とは逆方向に押されてスライドし、硬貨入口開口部を開放させ、また、カセット本体を硬貨処理装置に取り付ける動作と同時に、払出板が払出機構部に連結して動作制御可能となる。
【発明の効果】
【００１７】
本発明の硬貨収容カセットによれば、蓋体のスライド動作により硬貨入口開口部の開放操作が極めて簡単となり、また、カセット本体の硬貨処理装置への取り付けと同時に、払出板が払出機構部に連結するため、取り扱いが極めて容易となる。
【００１８】
また、本発明の硬貨処理装置によれば、硬貨収容カセットの装着と同時に蓋体がスライドして硬貨入口開口部を開放し、また、払出板が払出機構部に連結して動作制御可能となる。このため、硬貨収容カセットのセッティングが極めて容易となる。
【００１９】
さらに、本発明の金銭処理装置によれば、紙幣処理装置について、全金種の紙幣を２つの金庫だけで扱えるようにし、また、硬貨処理装置については、硬貨が最短距離で流れるよう構成要素を配置したことで、それぞれ小型化が可能になり、紙幣および硬貨を取り扱う本体装置の狭いスペースに紙幣処理装置および硬貨処理装置を一緒に設置することができる。そして特に、硬貨処理装置の部分については上記と同様に、硬貨収容カセットの取り扱いが極めて容易となる。
【発明を実施するための最良の形態】
【００２０】
以下、本発明の実施の形態を、セルフサービス方式のガソリンスタンドに設置される給油ポンプに搭載するようにした金銭処理装置を例に図面を参照して詳細に説明する。図１は金銭処理装置の外観を示す説明図である。
【００２１】
この金銭処理装置１は、給油ポンプを制御する本体装置に接続されて、ガソリンを所定量単位で販売する際に現金の入出金処理を行う機能を有し、その本体装置には、正面の接客部分が接客側に露出される状態で組み込まれる。金銭処理装置１は、紙幣処理装置と硬貨処理装置とを収容した筐体２を有し、その正面の上部には、表扉３が開閉可能に設けられている。表扉３には、錠４が設けられていて、保守作業を行うとき以外は施錠しておくことができるようになっている。筐体２の正面の下部には、紙幣処理装置および硬貨処理装置の接客部分が露出状態で設けられている。筐体２の中には、正面から見て左側に紙幣処理装置、右側に硬貨処理装置が収容されているので、表扉３の下方の左側には、紙幣を入出金することができる紙幣投入口および紙幣出金口が配置されており、これら紙幣投入口および紙幣出金口は、使用時に利用者によって開閉されるカバー５によって覆われている。表扉３の下方の右側には、硬貨を入出金することができる硬貨投入口２０１および硬貨払出口が配置されており、その硬貨払出口は、使用時に利用者によって開閉されるカバー６によって覆われている。
【００２２】
次に、この金銭処理装置１に収容されている紙幣処理装置の構成について説明する。図２は紙幣処理装置の概要を示す内部側面図である。
紙幣処理装置１００は、その前面下部に紙幣を１枚ずつ投入する紙幣投入口１０１を有し、この紙幣投入口１０１の奥に紙幣投入センサ１０２が配置されている。この紙幣投入センサ１０２は、投入された紙幣を取り込むための図示しない取り込みローラを駆動するモータ１０３および取り込まれた紙幣を搬送するための入金紙幣搬送部を駆動するモータ１０４に連動しており、紙幣の投入を検知した場合に、取り込みローラおよび入金紙幣搬送部を動作させるよう構成されている。紙幣投入センサ１０２の下流側には、入金紙幣鑑別部１０５が配置されている。この入金紙幣鑑別部１０５は、複数のセンサを備えていて、入金紙幣搬送部によって搬送される紙幣が通過する間に紙幣の真贋判定および金種の識別を行う。紙幣投入センサ１０２と入金紙幣鑑別部１０５とは、入金紙幣鑑別部１０５による紙幣の鑑別が始まると、紙幣の後端が紙幣投入センサ１０２を抜けるような位置関係になっていて、紙幣投入センサ１０２が紙幣を検知できなくなった時点で、モータ１０３は停止され、次の紙幣を取り込まないようにしている。ここで、搬送されてきた紙幣がこの入金紙幣鑑別部１０５によって正貨と判断されなかった場合、その紙幣は、モータ１０３，１０４を逆転動作させることにより、紙幣投入口１０１へ返却される。
【００２３】
入金紙幣搬送部は、モータ１０６によって駆動されて紙幣を垂直方向に搬送する垂直紙幣搬送部に連絡されている。この垂直紙幣搬送部の下部近傍には、紙幣の通過をゲートの動きによって検出する通過センサ１０７が配置されており、入金紙幣鑑別部１０５によって正貨と判断された紙幣の通過を検出する。
【００２４】
垂直紙幣搬送部は、その上端が混合紙幣収納庫１０８に接続され、中間部が千円紙幣収納庫１０９に接続され、下端近傍が出金リジェクト庫１１０および出金保留部１１１に接続されている。垂直紙幣搬送部の中間部には、搬送されてきた紙幣を混合紙幣収納庫１０８の方向へ向かわせるか千円紙幣収納庫１０９の方向へ向かわせるかを切り換えるゲート１１２を備え、混合紙幣収納庫１０８および千円紙幣収納庫１０９の入口には、紙幣の通過を検出する通過センサ１１３，１１４がそれぞれ配置されている。
【００２５】
混合紙幣収納庫１０８は、二千円、五千円および一万円の高額紙幣を混合して収納するためのもので、これらの紙幣は、釣銭として再利用されることはない。千円紙幣収納庫１０９は、最小額の千円紙幣を収納するためのもので、収納されている千円は、釣銭として払い出される紙幣に利用される。このため、千円紙幣収納庫１０９に隣接して、モータ、複数のローラなどから構成される紙幣繰出部１１５と、ゲート１１２と通過センサ１１４との間の搬送通路に配置された出金紙幣鑑別部１１６とを備えている。
【００２６】
混合紙幣収納庫１０８と千円紙幣収納庫１０９との間には、これらの紙幣収納動作および出金時における収納紙幣の紙幣繰出部１１５への付勢動作を行うようにした共通の駆動源としてのモータ１１７と、紙幣収納動作および付勢動作における可動部の上死点および下死点を検知するための位置検知センサ１１８，１１９とを備えている。
【００２７】
垂直紙幣搬送部の下端近傍に接続された出金搬送部には、千円紙幣収納庫１０９から繰り出されてきた紙幣の通過を検知する通過センサ１２０を備え、その下流側には、搬送されてきた紙幣を出金リジェクト庫１１０の方向へ向かわせるか出金保留部１１１の方向へ向かわせるかを切り換えるゲート１２１を備え、出金リジェクト庫１１０の入口には、紙幣の通過を検出する通過センサ１２２が配置されている。出金リジェクト庫１１０は、千円紙幣収納庫１０９から繰り出されてきた紙幣が出金紙幣鑑別部１１６による鑑別の結果、例えば複数枚重なった状態の紙幣であったり千円以外の金種の紙幣であるなど出金に不適切な紙幣であった場合に、そのような紙幣を収納しておくためのものである。出金保留部１１１は、千円紙幣収納庫１０９から１枚ずつ繰り出された紙幣を必要枚数になるまで一時的に保留しておくものであって、釣銭に必要な枚数の紙幣が溜まったら、それらの紙幣は、モータ１０６によって駆動される出金搬送部によって紙幣出金口１２３へまとめて束搬送される。この出金保留部１１１と紙幣出金口１２３との間には、出金紙幣の通過および利用者による出金紙幣の引き抜きを検知する通過センサ１２４と、紙幣出金口１２３に設けられてその開閉を行うシャッタ１２５とを備えている。出金保留部１１１では、保留された紙幣の束を出金搬送部の搬送ベルトへ押し付けることによって紙幣出金口１２３の方へ搬送するようにしている。そのため、出金保留部１１１は、搬送ベルトへの紙幣の押し付けを行う出金紙幣押圧部１２６を備えている。この出金紙幣押圧部１２６は、入金紙幣の取り込みに用いられるモータ１０３を駆動源とし、そのモータ１０３の逆転動作に連動するカム機構により保留されている紙幣に対して接離する方向に往復移動できるようになっている。その出金紙幣押圧部１２６の紙幣押圧状態および退避状態における位置は、接離方向に配置された位置センサ１２７，１２８によって感知されるように構成されている。
【００２８】
この紙幣処理装置１００は、さらに、混合紙幣収納庫１０８の収納紙幣の有無を検知するセンサ１２９、千円紙幣収納庫１０９の収納紙幣の有無および満杯状態を検知するセンサ１３０，１３１、出金リジェクト庫１１０の収納紙幣の有無を検知するセンサ１３２、および出金保留部１１１の収納紙幣の有無を検知するセンサ１３３を備えている。
【００２９】
次に、硬貨処理装置の構成について説明する。図３は、硬貨処理装置の概要を示す内部側面図である。
硬貨処理装置２００は、その前面下部に硬貨投入口２０１を有し、この硬貨投入口２０１の奥に、投入された硬貨を上方に搬送するリフタ部２０２、リフタ部２０２の搬送通路の中間に設けられて硬貨の真贋を判定するとともに金種を識別する硬貨識別部２０３、識別された硬貨を搬送しつつ金種ごとに振り分ける硬貨振分部２０４、振り分けられた硬貨を金種ごとに収容する硬貨収容部２０５、硬貨収容部２０５から硬貨を出金制御する払出機構部２０６、および硬貨収容部２０５から出金された硬貨を前面下部に設けられた硬貨払出口２０７に搬送する出金硬貨搬送部２０８を備えている。なお、本実施の形態では、上記リフタ部２０２および硬貨振分部２０４が、入金硬貨搬送部を構成する。
【００３０】
硬貨投入口２０１の近傍には、投入された硬貨を引き込んでリフタ部２０２に受け渡すローラ２０９が設けられている。このローラ２０９は、モータ２１０および図示しない動力伝達部によって駆動される。モータ２１０は、硬貨投入口２０１の近傍に設けられた検知センサ２１１が硬貨の投入を検知することにより駆動される。また、硬貨投入口２０１の近傍には、硬貨投入口２０１を閉じることが可能なシャッター２１２とこれを駆動するソレノイド２１３が設けられている。このシャッター２１２は、通常は開放されており、装置内部で故障や詰まり等の問題が発生した場合など予め定める条件に基づいて硬貨投入口２０１を閉じ、硬貨の投入を禁止する。
【００３１】
リフタ部２０２は、垂直方向に配置された図示しない複数のプーリと搬送ベルト２１４とを有し、最上部に配置されたプーリがモータ２１５によって駆動されることにより、硬貨投入口２０１に投入された硬貨を上方へ搬送する。リフタ部２０２の搬送通路の中間には、上記硬貨識別部２０３およびリジェクトゲート２１６が配置されている。このリジェクトゲート２１６は、常時は硬貨を捕捉してリジェクト用のシュート２１８に引き渡す位置にあり、硬貨識別部２０３にて硬貨が正貨であると識別されると、ソレノイド２１７により駆動されて硬貨の搬送面となる位置に移動し、硬貨を上方へ搬送する。シュート２１８の下端部には、このシュート２１８を落下した硬貨を検知する検知センサ２１９が設けられており、検知センサ２１９の出力を用いてリジェクトされた硬貨の返却を確認できるようになっている。
【００３２】
硬貨振分部２０４は、金種ごとの複数の振分ゲート２２０が硬貨収容部２０５の上方に水平方向（奥行方向）に並設され、これらの振分ゲート２２０に対向して搬送ベルト２２１が配置されている。搬送ベルト２２１は、硬貨処理装置の前面側（図の左側）と奥側（図の右側）とに配置されたプーリに掛け渡されており、硬貨処理装置の前面側のプーリに直結された駆動プーリに、タイミングベルトなどを介してモータ２２２の動力が伝達されるように構成されている。搬送ベルト２２１は、リフタ部２０２により上方に搬送されてきた硬貨を受け取って奥側へ搬送し、各振分ゲート２２０は、対応する硬貨が搬送されてくるとこれを捕捉する。また、各振分ゲート２２０の近傍には、各振分ゲート２２０を通過して硬貨収容部２０５に収容される硬貨を検知するコイルセンサ２２３がそれぞれ設けられており、コイルセンサ２２３の出力を用いて各振分ゲート２２０を通過した硬貨の数をカウントできるようになっている。また、最前部の振分ゲート２２０の手前の搬送通路には、硬貨が搬送されてきたことを検知する検知センサ２２４が設けられている。この検知センサ２２４が硬貨を検知したことをトリガとして、その硬貨に対応する金種の振分ゲート２２０が開放されるようになっている。
【００３３】
硬貨収容部２０５は、上下に延びるように設けられた釣銭チューブ等を奥行方向に複数並設した２つの硬貨収容カセット２２５，２２６から構成されている。手前側の硬貨収容カセット２２５は、その手前から１円，１０円，１００円をそれぞれ収容する３つの釣銭チューブを有し、奥側の硬貨収容カセット２２６は、その手前から５円，５０円，５００円をそれぞれ収容する３つの釣銭チューブと、さらにその奥側（図の右側）に配置されたオーバフロー庫を有する。各釣銭チューブは、その上端で対応する金種の振分ゲート２２０につながっている。各釣銭チューブの上端部には、釣銭チューブが満杯になったことを検知する満杯検知センサ２２７が設けられている。そして、釣銭チューブが満杯になってオーバフローした硬貨は、オーバフロー庫に金種混合状態で収容される。硬貨収容カセット２２５の上下方向中央の手前側には、硬貨処理装置２００にこの硬貨収容カセット２２５がセットされたことを検知する検知センサ２２８が設けられており、硬貨収容カセット２２６の上下方向中央の奥側には、硬貨処理装置２００にこの硬貨収容カセット２２６がセットされたことを検知する検知センサ２２９が設けられている。なお、上記硬貨収容カセット２２５，２２６の詳細については後述する。
【００３４】
払出機構部２０６は、各釣銭チューブの下部に設けられた後述する払出板をモータ２３０の駆動力によって動作制御し、選択された金種の釣銭チューブに積層収納された最下位の硬貨を１枚ずつ払い出す。すなわち、この払出機構部２０６には、硬貨の払出動作時に出金したい金種を指定するソレノイド２３１が各釣銭チューブに対応して設けられている。硬貨収容カセット２２５の下部手前側には、払出板等の位置検知を行う検知センサ２３２が設けられている。ソレノイド２３１は、払出動作をするときに、出金すべき金種に対応したものだけが動作して釣銭チューブからの硬貨の払い出しを行い、硬貨収納動作時および払出動作時で出金すべきでない金種に対応したものは、動作しない。
【００３５】
出金硬貨搬送部２０８は、払出機構部２０６の下部に配置されて奥行方向に延び、各釣銭チューブから払い出された硬貨を硬貨払出口２０７まで搬送する搬送ベルト２３３、プーリおよびモータ２３４が配置されている。搬送ベルト２３３の下面には、各釣銭チューブに対応した位置にコイルセンサ２３５が設けられ、いずれの釣銭チューブから硬貨の払い出しが行われたかを検知できるようになっている。
【００３６】
次に、上述した硬貨収容カセットの構造について詳細に説明する。図４は硬貨収容カセット２２５の構成を表す正面図であり、図５はその平面図である。また、図６は硬貨収容カセット２２５の構成を表す右側面図であり、図７は硬貨収容カセット２２５の構成を表す背面図である。さらに、図８は図６のそのＡ部拡大図に相当する硬貨処理装置２００の部分切欠断面図である。
【００３７】
図４に示すように、硬貨収容カセット２２５は、樹脂材を射出成形して構成され、直方体形状の外形を有するカセット本体２４１の内部に、１円，１０円，１００円をそれぞれ収容する円断面の釣銭チューブ２４２，２４３，２４４を隣接配置して構成されている。カセット本体２４１の上端に開口した硬貨入口開口部には、これを封止可能な蓋体２４５が設けられ、下端に開口した硬貨払出開口部には、これを開閉して内部に収容された硬貨の払い出しを可能にする払出板２４６が設けられている。また、カセット本体２４１の正面中央の内側面に沿って、硬貨入口開口部の外部（図の上方）に進退可能な固定片２４７と、この固定片２４７を外部側に付勢するコイルばね２４８が設けられている。この固定片２４７は、Ｕ字状の把手部２４９とその把手部２４９の中央から下方に延びる軸部２５０を有する。コイルばね２４８は、この軸部２５０に外挿され、一方でカセット本体２４１に固定され、他方で把手部２４９を上方に付勢している。
【００３８】
また、カセット本体２４１には、固定片２４７の把手部２４９を部分的に露出させる露出穴２５１と、その下方に所定間隔あけて配置された凹部２５２が形成されている。使用者は、例えばこの露出穴２５１に露出した把手部２４９に親指をかけ、残りの指を凹部２５２にかけて掴むことにより、固定片２４７をコイルばね２４８の付勢力に抗してカセット本体２４１の内部に押し下げることができる。
【００３９】
さらに、カセット本体２４１の正面上部は、蓋体２４５をこのカセット本体２４１にほぼ平行に収容可能な蓋体収容部２５３が設けられている。この蓋体収容部２５３は、カセット本体２４１の正面から蓋体２４５の厚みとほぼ同じ大きさの深さを有する。
【００４０】
図５にも示すように、蓋体２４５は、カセット本体２４１の硬貨入口開口部を封止可能な略長方形板状の本体２５４を有し、その本体の幅方向の両端縁が、カセット本体２４１の上端部の幅方向両端側の内壁にそれぞれ水平に延びる溝部２５５にガイドされてスライドできるように構成されている。この蓋体２４５の幅方向の中央には、その硬貨処理装置２００への取付方向手前側に、上記固定片２４７の先端部を挿通可能な凹状の切欠部２５６（挿通部）が設けられている。固定片２４７の先端は、硬貨入口開口部が閉じているときに、この切欠部２５６に挿通されて蓋体２４５の脱落を防止する。蓋体２４５の硬貨処理装置２００への取付方向奥側端部には、その幅方向の周端縁からやや突出したガイド軸２５７が設けられており、蓋体２４５をスライドさせて硬貨入口開口部を全開させたときには、このガイド軸２５７が溝部２５５の取付方向手前側の端部に係止され、蓋体２４５は、このガイド軸２５７を中心に回動することにより蓋体収容部２５３に収容される。この蓋体２４５の動作等については後述する。
【００４１】
図６および図７に示すように、硬貨収容カセット２２５の背面側には、各釣銭チューブの背面側を構成するとともに、カセット本体２４１に着脱可能に取り付けられた釣銭カバー２５８が設けられている。特に図７に示すように、この釣銭カバー２５８には、カセット本体２４１の内部に設けられた図示しない溝部に固定される一対の把持部２５９を有するフック２６０が設けられている。このフック２６０を外側からつまんで両把持部２５９が近づくように押圧することにより、フック２６０のロックを解除することができ、釣銭カバー２５８をカセット本体２４１から分離して、各釣銭チューブに収容された硬貨を回収することができる。同図に示すように、この釣銭カバー２５８の背面側には、使用者の便宜を考慮して、各釣銭チューブに対応して１円，１０円，１００円を示す１，１０，１００の数字と、各釣銭チューブの充填量を表す１０％おきに表す数字が刻印されている。この釣銭カバー２５８の下方には、カセット本体２４１の下方に進退可能に支持された一対のストッパ部材２６１が設けられている。
【００４２】
図８に示すように、払出板２４６は長方形板状の本体を有し、カセット本体２４１が硬貨処理装置２００に取り付けられた図示の状態においてその本体のストッパ部材２６１に対向する位置に、連結用孔２６２が形成されている。この連結用孔２６２が払出機構部２０６の駆動ベース２６３に設けられた連結用突起２６４に嵌合することにより、払出板２４６が払出機構部２０６に連結される。
【００４３】
ストッパ部材２６１は段付ピン状の本体を有し、カセット本体２４１の下端部で下方に開口した保持部２６５に摺動可能に保持されている。ストッパ部材２６１は、その上端に一端がカセット本体２４１に固定されたコイルばね２６６（付勢手段）の他端が接続されており、このコイルばね２６６によって、連結用孔２６２側に付勢されている。また、ストッパ部材２６１の下部には、その軸線方向と直角な方向に延出する解除用突起２６７が設けられている。図示の状態では、解除用突起２６７が硬貨処理装置２００に設けられたフレーム２６８に当接して押し上げられているが、カセット本体２４１が硬貨処理装置２００から取り外されたときには、連結用突起２６４に代わって連結用孔２６２に嵌合する。このストッパ部材２６１の動作の詳細については後述する。
【００４４】
次に、硬貨収容カセット２２５の動作について説明する。図９、図１０および図１１は、硬貨収容カセット２２５を硬貨処理装置２００に取り付けるときの動作を表す説明図である。図１２はストッパ部材２６１の動作を表す説明図であり、（Ａ）は図９のＢ部拡大図であり、（Ｂ）は図１１のＣ部拡大図である。
【００４５】
図９に示すように、硬貨収容カセット２２５を硬貨処理装置２００に取り付ける際には、作業者は、上述した固定片２４７の把手部２４９を下方に押し下げた状態で硬貨収容カセット２２５を傾け、その下端側から硬貨処理装置２００の収容部２７１に挿入する。そして、その硬貨収容カセット２２５の下端側を支点としてこれを起立させる方向に動かし、その上端手前側を収容部２７１に押し込むように挿入していく。
【００４６】
そして、図１０に示すように、硬貨収容カセット２２５の上端部が収容部２７１の入口開口部に差し掛かると、蓋体２４５の取付方向奥側端部が硬貨処理装置２００の取付面２７２近傍に設けられたフック受け２７３（係合部）に当接する。そして、さらに硬貨収容カセット２２５を押し込むと、蓋体２４５は、このフック受け２７３によってその逆方向（図中矢印方向）に押され、溝部２５５に沿って硬貨入口開口部の開放方向にスライドし、取付方向手前側に押出される。
【００４７】
そして、図１１に示すように、硬貨収容カセット２２５がほぼ直立状態になると、蓋体２４５のガイド軸２５７が溝部２５５の端部にて係止されるとともに、その軸回りに下方（図中矢印方向）へ回動し、蓋体２４５が蓋体収容部２５３に収容される。
【００４８】
一方、図１２（Ａ）に示すように、硬貨収容カセット２２５の取り付け完了前においては、ストッパ部材２６１は、コイルばね２６６の付勢力により連結用孔２６２に嵌合し、払出板２４６をロックして硬貨払出開口部を閉じた状態に保持している。
【００４９】
そして、図１２（Ｂ）に示すように、硬貨収容カセット２２５が直立状態に近づくと、ストッパ部材２６１は、解除用突起２６７がフレーム２６８に当接してコイルばね２６６の付勢力に抗して押圧されることにより、連結用孔２６２から退避する。このとき、このストッパ部材２６１に代わって連結用突起２６４が連結用孔２６２に嵌合し、払出板２４６が払出機構部２０６に連結される。このとき、カセット本体２４１の下端に設けられた段部２７４が、収容部２７１のベース２７５の手前側端部で上方に突出した係止突起２７６に係止される。そして、作業者が固定片２４７の把手部２４９への押圧力を取り除くと、図１１に示すように、固定片２４７の先端部がフック受け２７３の裏面（係止部）に係止される。そして、この係止突起２７６とフック受け２７３とによって硬貨収容カセット２２５の脱落が防止され、硬貨収容カセット２２５が収容部２７１に安定に固定され保持される。
【００５０】
図１３は、このようにして硬貨収容カセット２２５が硬貨処理装置２００に取り付けられたときの状態を表す正面図である。同図に示すように、蓋体２４５が蓋体収容部２５３に収容され、固定片２４７の先端がカセット本体２４１の上端に露出している。
【００５１】
次に、硬貨収容カセット２２６の構造について詳細に説明する。図１４は硬貨収容カセット２２６の構成を表す正面図であり、図１５はその平面図である。また、図１６は硬貨収容カセット２２６の構成を表す右側面図であり、図１７は硬貨収容カセット２２６の構成を表す背面図である。なお、この硬貨収容カセット２２６の構成は、上述した硬貨収容カセット２２５の構成と同様の部分が多いため、ほぼ同様の構成については同一の符号を付してその説明を省略する。
【００５２】
図１４に示すように、硬貨収容カセット２２６は、樹脂材を射出成形して構成され、直方体形状の外形を有するカセット本体２８１の内部に、５円，５０円，５００円をそれぞれ収容する円断面の釣銭チューブ２８２，２８３，２８４、およびオーバフロー庫２８５を隣接配置して構成されている。すなわち、この硬貨収容カセット２２６は、図４に示した硬貨収容カセット２２５の図の右側に、オーバフロー庫２８５を付加したような構成を有する。そして、カセット本体２８１の上端に開口した硬貨入口開口部には、これを封止可能な蓋体２８６が設けられ、下端に開口した硬貨払出開口部には、オーバフロー庫２８５の部分を除き、これを開閉して内部に収容された硬貨の払い出しを可能にする払出板２４６が設けられている。なお、オーバフロー庫２８５の下端は、払出板２４６とは異なる封止板２８７によって常時閉じられている。
【００５３】
カセット本体２８１の正面上部は、蓋体２８６をこのカセット本体２８１にほぼ平行に収容可能な蓋体収容部２８８が設けられている。この蓋体収容部２８８は、カセット本体２８１の正面から蓋体２８６の厚みとほぼ同じ大きさの深さを有する。
【００５４】
図１５（Ａ）に示すように、蓋体２８６は、カセット本体２８１の硬貨入口開口部を封止可能な略長方形板状の本体２８９を有し、その硬貨処理装置２００への取付方向奥側端部には、その幅方向の周端縁からやや突出したガイド軸２５７が設けられている。
【００５５】
また、本体２８９には、固定片２４７の先端部を挿通可能な一対の挿通孔２９０（挿通部）と、オーバフロー庫２８５に連通する取出孔２９１が、それぞれ形成されている。
さらに、本体２８９の上面には、取出孔２９１を封止可能なＬ字板状のカバー２９２が配設されている。このカバー２９２は、その対辺にある端縁が、本体２８９の対向する周縁近傍に沿って設けられた一対の溝部２９３にそれぞれガイドされて、本体２８９の上面において取出孔２９１の開放位置と封止位置との間でスライドする。このカバー２９２と本体２８９との間には、カバー２９２を取出孔２９１の封止位置の方向へ付勢するねじりコイルばね２９４が介装されている。カバー２９２は、そのＬ字形状により、図１５（Ｂ）に示す取出孔２９１の開放位置においても、固定片２４７に干渉しないように構成されている。このカバー２９２は、作業者が手で操作することにより、ねじりコイルばね２９４の付勢力に抗して取出孔２９１の開放位置に動作させることができるが、その手を放すと、ねじりコイルばね２９４の付勢力によって取出孔２９１の封止位置に戻るようになっている。このため、図示のように蓋体２８６が閉じられた状態では、各釣銭チューブに収容された硬貨の脱落が防止され、オーバフロー庫２８５に収容された金種混合の硬貨については、必要に応じてカバー２９２を開放し、これを取り出すことができる。
【００５６】
図１６および図１７に示すように、硬貨収容カセット２２６の背面側には、各釣銭チューブおよびオーバフロー庫２８５の背面側を構成するとともに、カセット本体２８１に着脱可能に取り付けられた釣銭カバー２９５が設けられている。そして、特に図１７に示すフック２６０を外側からつまんで押圧することにより、フック２６０のロックを解除することができ、釣銭カバー２９５をカセット本体２８１から分離して、各釣銭チューブおよびオーバフロー庫２８５に収容された硬貨を回収することができる。同図に示すように、この釣銭カバー２９５の背面側には、使用者の便宜を考慮して、各釣銭チューブに対応して５円，５０円，５００円を示す５，５０，５００の数字と、各釣銭チューブの充填量を表す１０％おきに表す数字が刻印されている。また、オーバフロー庫２８５を示す「ＯＦ」の文字が刻印されている。この釣銭カバー２９５の下方には、カセット本体２８１の下方に進退可能に支持された一対のストッパ部材２６１が設けられている。
【００５７】
図１８は、このようにして硬貨収容カセット２２６が硬貨処理装置２００に取り付けられたときの状態を表す正面図である。同図に示すように、蓋体２８６が蓋体収容部２８８に収容され、固定片２４７の先端がカセット本体２８１の上端に露出している。
【００５８】
なお、この硬貨収容カセット２２６における上記蓋体２８６の動作は、硬貨収容カセット２２５の蓋体２４５と同様であり、ストッパ部材２６１および払出板２４６の動作については上述したとおりであるので、ここでの説明は省略する。
【００５９】
図３に戻り、以上のように構成された硬貨処理装置において、硬貨投入口２０１にある金種の硬貨が投入されると、その硬貨は、ローラ２０９により引き込まれてリフタ部２０２に渡される。リフタ部２０２は、渡された硬貨を上方へ搬送する。その搬送途中で、硬貨は、硬貨識別部２０３にて識別され、偽貨ならそのままリジェクトゲート２１６に捕捉されてリジェクト用のシュート２１８を介して硬貨払出口２０７に返却され、正貨ならリジェクトゲート２１６が搬送通路を切り換え、硬貨振分部２０４まで搬送される。
【００６０】
一方、硬貨振分部２０４まで搬送された硬貨は、搬送通路の滑動面と搬送ベルト２２１とによって挟まれて起立状態で硬貨処理装置の奥側へ搬送される。硬貨が硬貨識別部２０３にて判別された金種に対応した振分ゲート２２０に到達する前に、その金種に対応した振分ゲート２２０が、スライド移動して搬送通路を遮断する。これにより、その硬貨は、その振分ゲート２２０から硬貨収容部２０５の対応する金種の釣銭チューブ内に落下し、釣銭チューブ内で硬貨の厚み方向に積み重ねられた状態で収納される。なお、硬貨収容部２０５において、対応する金種の釣銭チューブが満杯の場合は、振分ゲート２２０は動作せず、硬貨を硬貨処理装置の奥まで搬送し、オーバフロー庫に金種混合状態で収納する。
【００６１】
つり銭が必要な場合は、払出機構部２０６の必要金種に対応したソレノイド２３１が動作し、必要金種の硬貨を硬貨収容部２０５の対応する釣銭チューブから必要枚数払い出す。払い出された硬貨は、搬送ベルト２３３上に落下し、搬送ベルト２３３に載せて搬送され、硬貨払出口２０７より出金される。釣銭チューブから払い出された硬貨が搬送ベルト２３３上に落下したとき、搬送ベルト２３３の下面に金種別に設けられたコイルセンサ２３５がその硬貨を検出し、払出機構部２０６から搬送ベルト２３３に必要金種の硬貨が確実に払い出されたことを知ることができる。
【００６２】
以上に説明したように、本実施の形態の硬貨処理装置２００によれば、硬貨収容カセット２２５，２２６の装着と同時に蓋体２４５，２８６がスライドして硬貨入口開口部を開放し、また、払出板２４６が払出機構部２０６に連結して動作制御可能となる。このため、硬貨収容カセット２２５，２２６のセッティングをワンタッチで行うことができ、取り扱いが極めて容易となる。
【００６３】
また、硬貨収容カセット２２５，２２６を硬貨処理装置２００から取り外したときには、ストッパ部材２６１が自動的に払出板２４６の連結用孔２６２に嵌合して硬貨払出開口部を閉じた状態に保持する。このため、硬貨収容カセット２２５，２２６の持ち運びの際に各釣銭チューブから硬貨が脱落するのを防止することができる。また、この状態において、硬貨収容カセット２２６のオーバフロー庫２８５内の硬貨については、カバー２９２をスライドさせて逆さまにすることで、容易に回収することができる。
【図面の簡単な説明】
【００６４】
【図１】金銭処理装置の外観を示す説明図である。
【図２】紙幣処理装置の概要を示す内部側面図である。
【図３】硬貨処理装置の概要を示す内部側面図である。
【図４】硬貨収容カセットの構成を表す正面図である。
【図５】硬貨収容カセットの構成を表す平面図である。
【図６】硬貨収容カセットの構成を表す右側面図である。
【図７】硬貨収容カセットの構成を表す背面図である。
【図８】図６のＡ部拡大図に相当する硬貨処理装置の部分切欠断面図である。
【図９】硬貨収容カセットを硬貨処理装置に取り付けるときの動作を表す説明図である。
【図１０】硬貨収容カセットを硬貨処理装置に取り付けるときの動作を表す説明図である。
【図１１】硬貨収容カセットを硬貨処理装置に取り付けるときの動作を表す説明図である。
【図１２】ストッパ部材の動作を表す説明図である。
【図１３】硬貨収容カセットが硬貨処理装置に取り付けられたときの状態を表す正面図である。
【図１４】硬貨収容カセットの構成を表す正面図である。
【図１５】硬貨収容カセットの構成を表す平面図である。
【図１６】硬貨収容カセットの構成を表す右側面図である。
【図１７】硬貨収容カセットの構成を表す背面図である。
【図１８】硬貨収容カセットが硬貨処理装置に取り付けられたときの状態を表す正面図である。
【符号の説明】
【００６５】
１  金銭処理装置
１００  紙幣処理装置
１０１  紙幣投入口
１０５  入金紙幣鑑別部
１０８  混合紙幣収納庫
１０９  千円紙幣収納庫
１１０  出金リジェクト庫
１１１  出金保留部
１１２，１２１  ゲート
１１５  紙幣繰出部
１１６  出金紙幣鑑別部
１２３  紙幣出金口
１２６  出金紙幣押圧部
２００  硬貨処理装置
２０１  硬貨投入口
２０２  リフタ部
２０３  硬貨識別部
２０４  硬貨振分部
２０５  硬貨収容部
２０６  払出機構部
２０７  硬貨払出口
２０８  出金硬貨搬送部
２１４，２２１，２３３  搬送ベルト
２１６  リジェクトゲート
２１８  シュート
２２０  振分ゲート
２２５，２２６  硬貨収容カセット
２３１  ソレノイド
２４１，２８１  カセット本体
２４２，２４３，２４４，２８２，２８３，２８４  釣銭チューブ
２４５，２８６  蓋体
２４６  払出板
２４７  固定片
２４９  把手部
２５０  軸部
２５１  露出穴
２５２  凹部
２５３，２８８  蓋体収容部
２５５  溝部
２５６  切欠部
２５７  ガイド軸
２５８，２９５  釣銭カバー
２５９  把持部
２６０  フック
２６１  ストッパ部材
２６２  連結用孔
２６３  駆動ベース
２６４  連結用突起
２６５  保持部
２６７  解除用突起
２６８  フレーム
２７１  収容部
２７３  フック受け
２７６  係止突起
２８５  オーバフロー庫
２８７  封止板
２９０  挿通孔
２９１  取出孔
２９２  カバー
２９３  溝部
【図１】
2006065621.tif 000003
【図２】
2006065621.tif 000004
【図３】
2006065621.tif 000005
【図４】
2006065621.tif 000006
【図５】
2006065621.tif 000007
【図６】
2006065621.tif 000008
【図７】
2006065621.tif 000009
【図８】
2006065621.tif 000010
【図９】
2006065621.tif 000011
【図１０】
2006065621.tif 000012
【図１１】
2006065621.tif 000013
【図１２】
2006065621.tif 000014
【図１３】
2006065621.tif 000015
【図１４】
2006065621.tif 000016
【図１５】
2006065621.tif 000017
【図１６】
2006065621.tif 000018
【図１７】
2006065621.tif 000019
【図１８】
2006065621.tif 000020